(57)【要約】【目的】カメラのフィルム給送機構において、小型化と静音化を達成する。【構成】中空状のフィルム巻上スプールと、このフィルム巻上スプールの内部に、回転軸を該フィルム巻上スプールの回転中心軸と平行にさせて設けたモータと、モータの回転軸の回転をフィルム巻上スプールに伝達する減速ギヤ列を有するカメラのフィルム給送機構において、モータ回転軸と平行な回転中心軸で回転可能な少なくとも２つの平行回転ギヤと、該２つの平行回転ギヤの間の回転力伝達経路上に配置され、該平行回転ギヤの回転中心軸と直交する回転中心軸で回転可能な少なくとも１つの直交回転ギヤとを減速ギヤ列中に配する。【選択図】      図４
2004279874.tif 000002
【特許請求の範囲】
【請求項１】
中空状のフィルム巻上スプール；
上記フィルム巻上スプールの内部に、回転軸を該フィルム巻上スプールの回転中心軸と平行にさせて設けたモータ；及び
上記モータ回転軸の回転を上記フィルム巻上スプールに伝達する減速ギヤ列；を有するカメラのフィルム給送機構において、
上記減速ギヤ列に、上記モータ回転軸と平行な回転中心軸で回転可能な少なくとも２つの平行回転ギヤと、該２つの平行回転ギヤの間の回転力伝達経路上に配置され、該平行回転ギヤの回転中心軸と直交する回転中心軸で回転可能な少なくとも１つの直交回転ギヤとを設けたことを特徴とするカメラのフィルム給送機構。
【請求項２】
請求項１記載のカメラのフィルム給送機構において、上記平行回転ギヤの１つは上記モータ回転軸に固定されたウォームギヤであり、上記直交回転ギヤは、該ウォームギヤに噛合する斜歯ギヤ部と、該ウォームギヤとは別のギヤに噛合する伝達ギヤ部とを同軸で一体に回転可能に備えたダブルギヤであるカメラのフィルム給送機構。
【請求項３】
請求項２記載のカメラのフィルム給送機構において、上記直交回転ギヤの伝達ギヤ部は傘ギヤ部であり、上記ウォームギヤと異なる第２の平行回転ギヤが、該直交回転ギヤの傘ギヤ部に噛合する傘ギヤ部を有しているカメラのフィルム給送機構。
【請求項４】
請求項３記載のカメラのフィルム給送機構において、上記第２の平行回転ギヤは、上記傘ギヤ部と平ギヤ部とを同軸で一体に回転可能に備えたダブルギヤであるカメラのフィルム給送機構。
【請求項５】
請求項１ないし４のいずれか１項記載のカメラのフィルム給送機構において、さらに、
上記フィルム巻上スプールと平行な回転中心軸で回転可能なフィルム巻戻軸；及び
上記モータ回転軸の正転と逆転に応じて該モータ回転軸の回転を上記フィルム巻上スプールとフィルム巻戻軸の一方と他方に切り換えて連動させる、上記減速ギヤ列に設けた遊星ギヤ機構；
を有しているカメラのフィルム給送機構。
【請求項６】
請求項１ないし５のいずれか１項記載のカメラのフィルム給送機構において、上記減速ギヤ列のうち、上記モータ回転軸に固定したギヤからフィルム巻上スプールまでの回転力伝達経路上に位置する複数のギヤは、それぞれの少なくとも一部が、上記モータ回転軸を中心とする同一円周上に位置しているカメラのフィルム給送機構。
【請求項７】
請求項１ないし６のいずれか１項記載のカメラのフィルム給送機構において、上記フィルム巻上スプールが配置される巻上スプール室をカメラボディ内に有し、上記減速ギヤ列のうち少なくとも上記２つの平行回転ギヤと１つの直交回転ギヤは、上記巻上スプール室内に収納されているカメラのフィルム給送機構。
【請求項８】
モータの回転軸の回転をフィルム給送軸に伝達する減速ギヤ列を有するカメラのフィルム給送機構において、
上記減速ギヤ列中に、上記モータ回転軸と平行な回転中心軸を有する少なくとも２つの平行回転ギヤと、該２つの平行回転ギヤの間の回転力伝達経路上に配置され、該平行回転ギヤの回転中心軸と直交する回転中心軸を有する少なくとも１つの直交回転ギヤとを設けたことを特徴とするカメラのフィルム給送機構。
【発明の詳細な説明】
【０００１】
【技術分野】
本発明は、カメラのフィルム給送機構に関する。
【０００２】
【従来技術及びその問題点】
フィルム自動給送式カメラのフィルム給送機構では、フィルム給送用モータの回転力を伝達する減速ギヤ列は複数の平ギヤで構成されていた。しかし、減速ギヤ列を平ギヤのみで構成すると回転時の騒音が大きくなりがちであった。また、平ギヤのみで大きな減速比を得るにはギヤの枚数が多くなり、機構の小型化が難しかった。
【０００３】
【発明の目的】
本発明は以上の問題点に鑑みてなされたものであり、省スペースに配置可能で、かつ静音化を達成したカメラのフィルム給送機構を提供することを目的とする。
【０００４】
【発明の概要】
本発明は、中空状のフィルム巻上スプールと、該フィルム巻上スプールの内部に、回転軸を該フィルム巻上スプールの回転中心軸と平行にさせて設けたモータと、該モータの回転軸の回転をフィルム巻上スプールに伝達する減速ギヤ列とを有するカメラのフィルム給送機構において、減速ギヤ列に、モータ回転軸と平行な回転中心軸で回転可能な少なくとも２つの平行回転ギヤと、該２つの平行回転ギヤの間の回転力伝達経路上に配置され、該平行回転ギヤの回転中心軸と直交する回転中心軸で回転可能な少なくとも１つの直交回転ギヤとを設けたことを特徴としている。
【０００５】
本発明の一態様として、平行回転ギヤの１つをモータ回転軸に固定されたウォームギヤとし、直交回転ギヤは、該ウォームギヤに噛合する斜歯ギヤ部と、該ウォームギヤとは別のギヤに噛合する伝達ギヤ部とからなるダブルギヤとすることが好ましい。この態様では、直交回転ギヤの伝達ギヤ部を傘ギヤ部とし、該傘ギヤ部に対して、ウォームギヤとは別の第２の平行回転ギヤに設けた傘ギヤ部を噛合させることが好ましい。この第２の平行回転ギヤは、傘ギヤ部と平ギヤ部とを同軸で一体に回転可能に備えたダブルギヤであるとよい。
【０００６】
本発明は、フィルム巻上に加えて巻戻も共通のモータで行うカメラにおいて有効であり、この場合、減速ギヤ列に遊星ギヤ機構を設けて、モータ回転軸の正転と逆転に応じてフィルム巻上スプールとフィルム巻戻軸が選択して回転されるようにするとよい。
【０００７】
本発明は、減速ギヤ列のうち、モータ回転軸に固定したギヤからフィルム巻上スプールまでの回転力伝達経路上に位置する複数のギヤが、モータ回転軸を中心とする同一円周上に位置するように配置されている場合に特に好適である。
【０００８】
減速ギヤ列のうち、上記の少なくとも２つの平行回転ギヤ及び１つの直交回転ギヤは、カメラボディに形成した巻上スプール室内に収納されていることが好ましい。
【０００９】
本発明はまた、モータの回転軸の回転をフィルム給送軸に伝達する減速ギヤ列を有するカメラのフィルム給送機構において、減速ギヤ列中に、モータ回転軸と平行な回転中心軸を有する少なくとも２つの平行回転ギヤと、該２つの平行回転ギヤの間の回転力伝達経路上に配置され、該平行回転ギヤの回転中心軸と直交する回転中心軸を有する少なくとも１つの直交回転ギヤとを設けたことを特徴としている。
【００１０】
【発明の実施の形態】
図１は、本発明のフィルム給送機構を適用したカメラ１０を示している。横長矩形のカメラ外装部１１の正面略中央には撮影光学系を内蔵したレンズ鏡筒１２が設けられ、該レンズ鏡筒１２の後方のアパーチャ（撮影開口）１３を挟んで図１中の左側に筒状のパトローネ収納室１４、右側に同じく筒状の巻上スプール室１５が配置されている。アパーチャ１３、パトローネ収納室１４及び巻上スプール室１５は、カメラ外装部１１内に設けたカメラボディ１６（図２、図３）に形成されている。
【００１１】
パトローネ収納室１４の底面からは回転可能な巻戻フォーク（フィルム巻戻軸、フィルム給送軸）２０が突出している。パトローネ収納室１４には周知のフィルムパトローネ（不図示）を収納可能であり、収納状態では巻戻フォーク２０がフィルムパトローネの回転軸端部に係合し、図３のＲＷ方向への巻戻フォーク２０の回転によってパトローネ内にフィルムを巻き戻すことができる。
【００１２】
巻上スプール室１５内には、巻戻フォーク２０と平行な回転中心軸で回転可能な中空円筒状の巻上スプール（フィルム給送軸）２１が配され、図３のＦＷ方向への巻上スプール２１の回転によってフィルムを巻き上げることができる。図５及び図６に示すように、該巻上スプール２１の中空軸部内にフィルム給送モータ２２が設置される。このフィルム給送モータ２２は、巻上スプール２１の下部に設けたギヤボックス２５内にモータ回転軸２３を突出させている。ギヤボックス２５は、巻上スプール２１の下端部付近に覆われるようにして巻上スプール室１５内に位置している。
【００１３】
モータ回転軸２３にはウォームギヤ（平行回転ギヤ）３０が固定されており、ギヤボックス２５内には、該ウォームギヤ３０から順次回転力が伝達される第１ギヤ（直交回転ギヤ）３１、第２ギヤ（第２の平行回転ギヤ）３２、第３ギヤ３３、第４ギヤ３４が設けられている。第３ギヤ３３と第４ギヤ３４は遊星ギヤ機構を構成しており、第３ギヤ３３が、回転中心軸位置の変化しない太陽ギヤであり、第４ギヤ３４が、該第３ギヤ３３の周面（ギヤ面）に沿って公転移動可能な遊星ギヤである。第４ギヤ３４は、巻上連動ギヤ３５と巻戻連動ギヤ３６のいずれかに選択して噛合する。なお、図３及び図４における第４ギヤ３４は、巻上連動ギヤ３５と巻戻連動ギヤ３６に噛合した状態を同時に示しているが、実際の第４ギヤ３４は一つであり、図のように両ギヤ３５及び３６に対して同時に噛合することはない。巻上連動ギヤ３５は、巻上スプール２１の下端部付近の内周面に形成されたスプールギヤ２１ａ（図４）に噛合しており、巻上連動ギヤ３５が回転することにより巻上スプール２１が回転される。図４から分かるように、ウォームギヤ３０からスプールギヤ２１ａまでの回転力伝達経路上に位置する各ギヤ、すなわち第１ギヤ３１、第２ギヤ３２、第３ギヤ３３、第４ギヤ３４及び巻上連動ギヤ３５は、それぞれの一部がモータ回転軸２３を中心とする同一円周上に位置するように配置されている。換言すると、フィルム巻上関連のギヤ列は、ウォームギヤ３０を囲む円形状のスペースに配設されている。
【００１４】
巻戻連動ギヤ３６は、第４ギヤ３４と噛合するときに、複数（５つ）の平ギヤからなる巻戻ギヤ列３７を介してフォーク駆動ギヤ３８に回転を伝達する。フォーク駆動ギヤ３８はパトローネ収納室１４の下部に位置しており、巻戻フォーク２０と一体に回転するギヤである。
【００１５】
以上の各ギヤがフィルム給送用の減速ギヤ機構を構成している。図３及び図４に示すように、この減速ギヤ機構はカメラボディ１６の底面側に配されており、該カメラボディ１６の底面には、巻戻連動ギヤ３６の回転中心軸３６ａと、巻戻ギヤ列３７の各ギヤの回転中心軸３７ａが突設されている。
【００１６】
ギヤボックス２５内のギヤについてさらに詳しく説明する。ウォームギヤ３０の回転中心軸はモータ回転軸２３の軸線と一致する。第１ギヤ３１の回転中心軸はウォームギヤ３０の回転中心軸と直交しており、該第１ギヤ３１は、ウォームギヤ３０に噛合する斜歯（はすば）ギヤ部３１ａと、該斜歯ギヤ部３１ａと同軸一体に回転する傘ギヤ部３１ｂとからなるダブルギヤである。第２ギヤ３２の回転中心軸はウォームギヤ３０の回転中心軸（モータ回転軸２３）と平行であり、該第２ギヤ３２は、第１ギヤ３１の傘ギヤ部３１ｂに噛合する傘ギヤ部３２ａと、該傘ギヤ部３２ａと同軸一体に回転する平ギヤ部３２ｂからなるダブルギヤである。第３ギヤ３３、第４ギヤ３４、巻上連動ギヤ３５及び巻戻連動ギヤ３６の回転中心軸は、ウォームギヤ３０及び第２ギヤ３２の回転中心軸と平行である。第３ギヤ３３は、第２ギヤ３２の平ギヤ部３２ｂに噛合する大径ギヤ部３３ａと、第４ギヤ３４に噛合する小径ギヤ部３３ｂからなるダブルギヤである。第４ギヤ３４は、第３ギヤ３３の正逆回転に伴って該第３ギヤ３３の小径ギヤ３３ｂの外縁上を移動（公転）し、巻上連動ギヤ３５または巻戻連動ギヤ３６に噛合した時点で該移動を停止して、噛合対象のギヤに対して回転を伝達する。また、巻戻ギヤ列３７の各ギヤとフォーク駆動ギヤ３８の回転中心軸は、それぞれウォームギヤ３０の回転中心軸と平行である。
【００１７】
すなわち、フィルム給送機構を構成する減速ギヤ列のうち、第１ギヤ３１は、その回転中心軸を他の各ギヤの回転中心軸に対して直交させており、モータ回転軸２３からのギヤ回転平面方向（回転中心軸と直交する平面）は、ウォームギヤ３０と斜歯ギヤ部３１ａによって１度直交変換され、傘ギヤ部３１ｂと傘ギヤ部３２ａの関係により再度直交変換されて元に戻る。一般に、平ギヤ同士の噛合関係では騒音が大きくなりがちである。また、平ギヤ列による減速機構は、所定の減速比を得るためにギヤ枚数が多くなりがちで、機構の小型化が難しかった。これに対し本実施形態では、減速機構の１段目の噛合部分をウォームギヤ３０及び斜歯ギヤ部３１ａとし、２段目の噛合部分を傘ギヤ部３１ｂ及び傘ギヤ部３２ａとすることにより、平ギヤを用いた場合に比べて動力伝達時の静音化が達成されている。特に、ギヤの騒音はその噛合部の回転速度が速いほど大きくなる傾向にあるので、最も高速に回転するモータ回転軸２３に直結（固定）するギヤをウォームギヤ３０とすることが、静音化にとって極めて有効である。同様の理由から、モータからの動力伝達経路においてウォームギヤ３０の次に位置する第１ギヤ３１と第２ギヤ３２の噛合部分を平ギヤ部でなく傘ギヤ部とすることも、静音化にとって有効である。また、ウォームギヤ３０及び斜歯ギヤ部３１ａ、傘ギヤ部３１ｂ及び傘ギヤ部３２ａのようなギヤ回転平面を直交変換させるタイプの伝動機構を介在させることにより、回転平面が平行である平ギヤのみからなる伝動機構に比べて、モータ回転軸２３と直交する平面方向において狭いスペースで所定の減速比を得ることが可能になっている。例えば本実施形態では、フィルム巻上関連のギヤ（第１ギヤ３１ないし巻上連動ギヤ３５）を、巻上スプール２１下部のギヤボックス２５という限定されたスペースに、モータ回転軸２３を中心とする同一円周上に位置させてスペース効率良く配置することが可能になっている。よって、静音化とコンパクト化を両立したフィルム給送機構を得ることができる。
【００１８】
本発明は、以上の実施形態に限定されるものではない。例えば、上記実施形態ではウォームギヤ３０に対して回転中心軸が直交するのは第１ギヤ３１のみである。しかし、第１ギヤ３１に続くギヤ（実施形態での第２ギヤ３２に相当）の回転中心軸を該第１ギヤ３１と平行にして、ギヤ回転中心軸の２度目の直交変換はそれ以降のギヤで行うようにしてもよい。また、前述の通り、静音化の観点からモータの回転軸に設けるギヤはウォームギヤなどの直交変換ギヤであることが好ましいが、モータの回転軸には平ギヤを設け、減速ギヤ列中の別のギヤで回転中心軸の直交変換を行ってもよい。
【００１９】
また、実施形態のフィルム給送機構は、減速ギヤ列中に遊星ギヤ機構を設けて巻上と巻戻を１モータで行っているが、本発明は巻上と巻戻の一方のみをモータで行うタイプのフィルム給送機構にも適用が可能である。
【００２０】
【発明の効果】
以上から明らかなように、本発明によれば、省スペースに配置可能で、かつ静音化を達成したカメラのフィルム給送機構を得ることができる。
【図面の簡単な説明】
【図１】本発明を適用したフィルム給送機構を搭載したカメラの正面図である。
【図２】図１のカメラのカメラボディを単体で示す正面図である。
【図３】図２のカメラボディの底面図である。
【図４】図３の底面図の一部を拡大した図である。
【図５】図４のＶ方向から見た巻上スプール中心付近の断面図である。
【図６】図４のＶＩ方向から見た巻上スプール中心付近の断面図である。
【符号の説明】
１０  カメラ
１１  カメラ外装部
１２  レンズ鏡筒
１４  パトローネ収納室
１５  巻上スプール室
１６  カメラボディ
２０  巻戻フォーク（フィルム巻戻軸、フィルム給送軸）
２１  巻上スプール（フィルム巻戻スプール、フィルム給送軸）
２１ａ  スプールギヤ
２２  フィルム給送モータ
２３  モータ回転軸
２５  ギヤボックス
３０  ウォームギヤ３０（平行回転ギヤ）
３１  第１ギヤ３１（直交回転ギヤ）
３１ａ  斜歯ギヤ部
３１ｂ  傘ギヤ部
３２  第２ギヤ３２（第２の平行回転ギヤ）
３２ａ  傘ギヤ部
３２ｂ  平ギヤ部
３３  第３ギヤ（遊星ギヤ機構）
３３ａ  大径ギヤ部
３３ｂ  小径ギヤ部
３４  第４ギヤ（遊星ギヤ機構）
３５  巻上連動ギヤ
３６  巻戻連動ギヤ
３６ａ  回転中心軸
３７  巻戻ギヤ列
３７ａ  回転中心軸
３８  フォーク駆動ギヤ
【図１】
2004279874.tif 000003
【図２】
2004279874.tif 000004
【図３】
2004279874.tif 000005
【図４】
2004279874.tif 000006
【図５】
2004279874.tif 000007
【図６】
2004279874.tif 000008